(57)【要約】    【課題】着脱時にディスクに無用な力が加わらずに済み、着脱操作性が良好なディスク保持装置を、機構の複雑化や大型化を招かずに構成する。    【解決手段】情報記録ディスク６の中心孔２８に嵌め込まれる嵌合部（クランプホルダ２９）と、中心孔に嵌合部を嵌め込んだ際に中心孔の内縁に当接可能なように径方向変位自在に嵌合部に内設された係止部材（ボール３２・クランプ片４１）とを備え、回転駆動されるターンテーブル３に設けられるディスク保持装置において、自身の軸方向変位を係止部材の径方向変位に変換すべく、ターンテーブルと一体回転自在且つ軸方向変位自在にターンテーブルの軸上に設けられたカム部材３５と、該カム部材に軸方向変位を与えるための駆動手段（操作用回動板７・モータ８・スライドバー９）とを有するものとする。【選択図】図５
2007280540.tif 000002
【特許請求の範囲】
【請求項１】
情報記録ディスクの中心孔に嵌め込まれる嵌合部と、前記中心孔に前記嵌合部を嵌め込んだ際に前記中心孔の内縁に当接可能なように径方向変位自在に前記嵌合部に内設された係止部材とを備え、回転駆動されるターンテーブルに設けられるディスク保持装置であって、
自身の軸方向変位を前記係止部材の径方向変位に変換すべく、前記ターンテーブルと一体回転自在且つ軸方向変位自在に前記ターンテーブルの軸上に設けられたカム部材と、
該カム部材に軸方向変位を与えるための駆動手段と、を有することを特徴とする情報記録ディスクの保持装置。
【発明の詳細な説明】
【技術分野】
【０００１】
本発明は、光ディスクや光磁気ディスクなどの情報記録ディスクを、再生機などのターンテーブルに保持させるための保持装置に関するものである。
【背景技術】
【０００２】
例えばＣＤやＤＶＤに代表される情報記録ディスクの再生機として、ディスク駆動用ターンテーブルに載置されたディスクを保持するために、ディスクの中心孔の周囲をターンテーブルに押し当てるためのクランパを備えるものが知られている（特許文献１を参照されたい）。このような、ターンテーブルとクランパとでディスクの中心部を両面から挟み込む形式のものは、機構が複雑になりがちである上、クランパの設置スペースを要する分、小型化が困難である。このような不都合を生じないものとしては、ディスクの中心孔の内周をチャッキングする保持装置をターンテーブル側のみに設けたものが提案されている（特許文献２を参照されたい）。
【特許文献１】特開平４−１２１８６５号公報
【特許文献２】特開平３−１５７８５９号公報
【発明の開示】
【発明が解決しようとする課題】
【０００３】
しかるに、文献２に記載のディスク保持装置によると、ディスクの中心孔に加わる径方向外向きの弾発付勢力に抗してディスクを着脱しなければならない。そのため、弾発付勢力の程度によっては、ターンテーブルに載せたディスクを上から強く押し付けないと保持装置が働かず、ターンテーブルに対するディスクの装着が不完全になることがあり得た。またターンテーブルからディスクを取り外す際には、強引に引き剥がすようにディスクを持ち上げる必要があるので、ディスクに無用な力が加わり、ディスクが傷つく心配があった。
【０００４】
本発明は、このような従来技術の問題点を解消するために案出されたものであり、その主な目的は、機構の複雑化や大型化を招くことが無く、容易に薄型化を推進することができ、しかも着脱時にディスクに無用な力が加わることの無い、着脱操作性が良好なディスク保持装置を提供することにある。
【課題を解決するための手段】
【０００５】
このような課題を解決するため、本発明は、情報記録ディスク６の中心孔２８に嵌め込まれる嵌合部（クランプホルダ２９）と、中心孔に嵌合部を嵌め込んだ際に中心孔の内縁に当接可能なように径方向変位自在に嵌合部に内設された係止部材（ボール３２・クランプ片４１）とを備え、回転駆動されるターンテーブル３に設けられるディスク保持装置２１において、自身の軸方向変位を係止部材の径方向変位に変換すべく、ターンテーブルと一体回転自在且つ軸方向変位自在にターンテーブルの軸上に設けられたカム部材３５と、該カム部材に軸方向変位を与えるための駆動手段（操作用回動板７・モータ８・スライドバー９）とを有することを特徴とするものとした。
【発明の効果】
【０００６】
このような本発明の構成によれば、ターンテーブルの支持軸上でカム部材を軸方向変位させると、その運動に連動して係止部材が情報記録ディスクの中心孔に接離移動するので、ディスクの着脱時にはディスクの中心孔から係止部材が退避しているように構成することができる。従って、本発明により、機構の簡略化および小型化・薄型化を実現し得ると共に、着脱時にディスクに無用な力が加わらずに済み、着脱操作性を高める上に多大な効果を奏することができる。
【発明を実施するための最良の形態】
【０００７】
以下に添付の図面を参照して本発明について詳細に説明する。
【０００８】
図１及び図２は、本発明によるディスク保持装置が適用されたディスク再生機のキャリアアームの概略を示している。このキャリアアーム１は、ディスク再生機のシャシーＳに設けられた固定軸２にその一端が旋回動自在に支持されており、その他端に支持されたディスク駆動用のターンテーブル３を、積層された複数のディスクのうちの選択した１つのディスク下に進入させるようにしてなるものである。つまり本実施例は、ディスクチェンジャ付きディスク再生機への適用例を示しており、キャリアアーム１には、ディスク駆動用ターンテーブル３の他に、旋回移動用の駆動装置（図示せず）、光学ヘッド４及びヘッド移動装置５なども設けられるが、本発明に係るディスク保持装置は、ディスクチェンジャ付きディスク再生機のみに対する適用に限定されるものではないので、以下、ディスク保持装置に直接関連しない部分の説明は省略する。
【０００９】
キャリアアーム１には、ターンテーブル３に設けられたディスク保持装置（後に詳述する）に対してディスク６を保持する状態と解放する状態とを選択的に設定するための操作用回動板７が、ターンテーブル３の取付面の反対側の面（下面）にターンテーブル３と同軸的に設けられ、操作用回動板７を駆動するためのモータ８が、固定軸２に隣接する位置に設けられている。そしてモータ８と操作用回動板７との間を連動連結するスライドバー９が、キャリアアーム１の下面に沿って延設されている。
【００１０】
操作用回動板７は、図３に詳細に示すように、ターンテーブル３の支持軸１０を外囲する概ね真円輪郭のドーナツ状をなし、その外周側の円周を等分割する（本実施例においては３等分）位置に、適宜な角度の円弧状長孔１１が設けられ、その内周側の円周を等分割する（本実施例においては３等分）位置に、適宜な角度の円弧状カム部１２が設けられている。また操作用回動板７の外周部の適所には、ピン１３が下向きに突設されている。
【００１１】
他方、キャリアアーム１におけるターンテーブル３取付部の下面には、ターンテーブル３の支持軸１０と同心の円周を等分割する（本実施例においては３等分）位置に、拡頭ピン１６が下向きに突設されている。これら３本の拡頭ピン１６に円弧状長孔１１を係合させることにより、円弧状長孔１１の範囲内で回動自在なように、キャリアアーム１の他端側の下面に操作用回動板７が支持されている。
【００１２】
スライドバー９は、その一端に板ナット部１４が設けられ、モータ８の軸には、板ナット部１４の雌ねじに螺合する雄ねじが設けられたスクリュー軸１５が固着されている。またスライドバー９の中間部の適所には、キャリアアーム１の下面に突設された拡頭ピン１７と係合すべくスライドバー９の長手方向に沿う長孔１８が設けられ、スライドバー９の他端部には、操作用回動板７の外周部に突設されたピン１３に係合すべくスライドバー９の長手方向に直交する向きのスロット１９が設けられている。そしてスライドバー９は、モータ８に設けられたスクリュー軸１５に板ナット部１４を螺着させることで一端の位置が規定され、キャリアアーム１の下面に突設された拡頭ピン１７に長孔１８を係合させることで他端の位置が規定されている。
【００１３】
次にディスク保持装置２１について図４及び図５を参照して説明する。
【００１４】
本発明が適用されるディスク駆動用ターンテーブル３は、多極コア２２に巻回されたコイル２３と、多極コア２２の外周面と対峙する多数のロータマグネット２４を内周面に備えたアウタロータ２５とからなるブラシレスモータにおけるアウタロータ２５の天壁をなしており、多極コア２２と一体をなしてキャリアアーム１の他端に固定されたステータ２６の中心部に設けられた軸受２７に、ターンテーブル３の支持軸１０が、回転自在に支持されている。
【００１５】
ターンテーブル３の中心部には、情報記録ディスク６の中心孔２８に嵌入する扁平な有底筒状をなすクランプホルダ２９が一体的に設けられている。このクランプホルダ２９の周壁及び上壁の外周部には、円周を等分割する（本実施例においては３等分）位置に、上方から見て矩形をなす切欠部３０が設けられている。この切欠部３０の底面には、内側が低くなる斜面３１が設けられており、それぞれに径方向変位自在なるボール３２が受容されている。また切欠部３０の上方には、ボール３２に下向きの押圧力を作用させる板ばね片３３が延出されており、これによって切欠部３０からのボール３２の抜け止めがなされている。
【００１６】
ステータ２６の上方には、上方へ行くに連れて縮径する円錐台状の斜面３４がその外周部に形成された円錐カム部材３５が、その中心に支持軸１０を挿通した状態で軸方向変位自在に設けられている。この円錐カム部材３５の外周面は、クランプホルダ２９の内周面に近接しており、その外周部の斜面３４にて、切欠部３０に受容されたボール３２を支持するようになっている。
【００１７】
ステータ２６の軸受２７を外囲する部分には、ターンテーブル３の支持軸１０と同心の円周を等分割する（本実施例においては３等分）位置に、ステータ２６を軸方向に貫通するガイド孔３６が設けられている。またステータ２６の下面には、これら３つのガイド孔３６のそれぞれに挿通されるガイドピン３７を備えたスライダ３８が設けられている。そしてステータ２６を貫通した３本のガイドピン３７の遊端には、円錐カム部材３５の下面に設けられたスラストリング３９に当接している。
【００１８】
スライダ３８の外周面には、円周を等分割する（本実施例においては３等分）位置に径方向外向き突起４０が設けられており、この突起４０が、操作用回動板７に設けられた円弧状カム部１２に係合し、ステータ２６からのスライダ３８の抜け止めがなされている。
【００１９】
円弧状カム部１２には、図６に示したように、高位部１２ａ、低位部１２ｂ、及びこれらを接続する傾斜部１２ｃが形成されており、水平面上での円弧状カム部１２の回動運動が、円弧状カム部１２に係止した突起４０を介してのスライダ３８の軸方向運動に変換されるようになっている。
【００２０】
次にディスク保持装置２１の作動要領について説明する。
【００２１】
モータ８を回転させると、スクリュー軸１５が回転し、これによってスクリュー軸１５の軸方向について板ナット部１４が移動する。従って板ナット部１４と一体のスライドバー９は、キャリアアーム下面の拡頭ピン１７を挿通した長孔１８の範囲を、キャリアアーム１の延在方向について直線移動する。このスライドバー９の直線運動は、スライドバー９のスロット１９に係合したピン１３に伝わり、操作用回動板７の回動運動に変換される（図３中の矢印Ａ）。これにより、操作用回動板７に一体的に設けられた円弧状カム部１２が回動する。
【００２２】
先ず、初期状態の設定は、スクリュー軸１５の回転でスライドバー９を固定軸２側へ移動させ（図１・２参照）、操作用回動板７を図３上で時計方向に回動させ、円弧状カム部１２の低位部１２ｂをスライダ３８の突起４０の下面に対向させる。そうすると、スライダ３８が下降し、これに伴って円錐カム部材３５も下降し、ボール３２が切欠部３０の斜面３１を転動して径方向内向きに変位する。これにより、クランプホルダ２９の外周面からボール３２が引っ込んだ初期状態となる。
【００２３】
電源を投入した直後は初期状態にあり、情報記録ディスク６の中心孔２８の内周面にボール３２が干渉しないので、クランプホルダ２９に情報記録ディスク６の中心孔２８に挿入する際に無用な力が加わらずに済む。ターンテーブル３にディスク６が載置されたことを例えば光センサなどで検知すると、スクリュー軸１５の回転でスライドバー９がターンテーブル３側へ移動させられ、操作用回動板７が図３上で反時計方向に回動させられる。これにより、円弧状カム部１２の高位部１２ａが、スライダ３８の突起４０を押し上げた状態となる（図７参照）。この状態では、スライダ３８と共に円錐カム部材３５が押し上げられ、円錐カム部材３５の斜面３４によってボール３２が径方向外向きに押し出される。そしてボール３２の外周面によってディスク６の中心孔２８がクランプされる。
【００２４】
再生終了後に、例えば操作パネルに設けられたエジェクトスイッチを押すと、上記とは逆に、スライドバー９が固定軸２側へ移動し、操作用回動板７が図３上で時計方向に回動して円弧状カム部１２の低位部１２ｂがスライダ３８の突起４０の下面に対向する。するとスライダ３８が下降すると共に円錐カム部材３５も下降し、ボール３２が切欠部３０の斜面３１を転動して径方向内向きに変位する。これにより、クランプホルダ２９の外周面からボール３２が引っ込み、初期状態に戻る。上述した通り、この状態では情報記録ディスク６の中心孔２８の内周面にボール３２が干渉しないので、クランプホルダ２９から情報記録ディスク６を取り外す際に無用な力が加わらずに済む。
【００２５】
上述の実施例は、円錐カム部材３５を上昇させるとディスク保持装置２１がクランプ状態となる構成であるが、円錐カム部材３５を降下させるとディスク保持装置２１がクランプ状態となるように構成することもできる。以下にこのような構成の第２の実施形態について図８〜図１１を参照して説明する。なお、上述した第１の実施形態と共通の部分については、図中に同一の符号を付してその説明は省略する。
【実施例１】
【００２６】
図９に示すように、この実施例におけるクランプホルダ２９の切欠部３０は、上方から見て概ねクランク状に折曲されたクランプ片４１の突端を覗かせている。このクランプ片４１は、その中間部を、クランプホルダ２９の上壁内面に固着された軸４２に水平面上で旋回動自在なように支持されており、軸４２に巻装された捩りコイルばね４３により、その外端４１ａを切欠部３０から外方へ突出させる向きに常時弾発付勢されている。
【００２７】
他方、ステータ２６の上方には、第１実施形態と同様に、上方へ行くに連れて縮径する円錐台状の斜面３４をその外周部に備える円錐カム部材３５が、その中心に支持軸１０を挿通した状態で軸方向変位自在に設けられている。この円錐カム部材３５の斜面３４に、クランプ片４１の内端４１ｂが、当接可能に対峙している。
【００２８】
次に本実施形態の作動要領について説明する。
【００２９】
スクリュー軸１５の回転でスライドバー９をターンテーブル３側へ移動させ、円弧状カム部１２の高位部１２ａにてスライダ３８の突起４０を押し上げた状態とすることにより、スライダ３８と共に円錐カム部材３５が押し上げられる（図８参照）。するとクランプ片４１の内端４１ｂが円錐カム部材３５の斜面３４によって径方向外側へ押し退けられ、各クランプ片４１が図９において反時計回りに回動し、その外端４１ａがクランプホルダ２９の外周面から内向きに入り込む。これにより、クランプ片４１の外端４１ａが情報記録ディスク６の中心孔２８の内周面と干渉しなくなるので、クランプホルダ２９を情報記録ディスク６の中心孔２８に挿入あるいは脱却する際に、換言するとターンテーブル３に対する着脱時に、ディスク６に無用な力が加わらずに済む。
【００３０】
ターンテーブル３にディスク６を載置した状態で、スクリュー軸１５の回転でスライドバー９を固定軸２側へ移動させ、円弧状カム部１２の低位部１２ｂをスライダ３８の突起４０の下面に対向させることにより、スライダ３８が下降し、かつ円錐カム部材３５が下降する（図１０参照）。この状態では、クランプ片４１の内端４１ｂが円錐カム３５の斜面３４から離れるので、クランプ片４１は捩りコイルばね４３の弾発力により、その外端４１ａをクランプホルダ２９の外周面から突出させる向きに回動する（図１１参照）。これにより、クランプホルダ２９を嵌入させた情報記録ディスク６の中心孔２８にクランプ片４１の外端４１ａが干渉し、情報記録ディスク６がクランプホルダ２９から抜け止めされる。
【図面の簡単な説明】
【００３１】
【図１】本発明装置が適用されるキャリアアームのアンクランプ時の側面図である。
【図２】図１に示したキャリアアームの底面図である。
【図３】本発明装置のアンクランプ時の底面図である。
【図４】本発明装置のアンクランプ時の一部切除して示す上面図である。
【図５】本発明装置のアンクランプ時の縦断面図である。
【図６】クランプ／アンクランプ操作カムを図３中のVI−VI線から見た拡大図である。
【図７】本発明装置のクランプ時の縦断面図である。
【図８】本発明装置の第２実施例のアンクランプ時の縦断面図である。
【図９】図８に示した別実施例のアンクランプ時の一部切除して示す上面図である。
【図１０】本発明装置の第２実施例のクランプ時の縦断面図である。
【図１１】図１０に示した別実施例のクランプ時の一部切除して示す上面図である
【符号の説明】
【００３２】
３  ターンテーブル
６  情報記録ディスク
７  操作用回動板
８  モータ
９  スライドバー
２１  ディスク保持装置
２８  中心孔
２９  クランプホルダ（嵌合部）
３２  ボール（係止部材）
３５  円錐カム部材
４１  クランプ片（係止部材）
【図１】
2007280540.tif 000003
【図２】
2007280540.tif 000004
【図３】
2007280540.tif 000005
【図４】
2007280540.tif 000006
【図５】
2007280540.tif 000007
【図６】
2007280540.tif 000008
【図７】
2007280540.tif 000009
【図８】
2007280540.tif 000010
【図９】
2007280540.tif 000011
【図１０】
2007280540.tif 000012
【図１１】
2007280540.tif 000013